(57)【要約】【課題】構造が簡単で、低価格で製造ができ、風などの外圧を受けても上端部が揺動せず安定した状態で壁面に取り付けることが可能なカレンダーを提供することを目的とする。【解決手段】カレンダー１を壁面に取り付けるため、カレンダーの上端部に取り付けられた綴じ部材３に、カレンダーの幅方向の中心からの距離が同じ左右の位置に壁面へ係止するための係止部４を設けることを特徴とする。【選択図】  図１
0003175892.tif 000002
【実用新案登録請求の範囲】
【請求項１】
カレンダーを壁面に取り付けるため、カレンダーの上端部に取り付けられた綴じ部材に、カレンダーの幅方向の中心からの距離が同じ左右の位置に壁面に係止するための係止部を設けることを特徴とするカレンダー。
【請求項２】
前記係止部を前記綴じ部材に形成した貫通孔とすることを特徴とする請求項１に記載のカレンダー。
【請求項３】
前記係止部を前記綴じ部材の上端から上に突出したフック又は穴開きリングとすることを特徴とする請求項１に記載のカレンダー。
【考案の詳細な説明】
【技術分野】
【０００１】
本考案は、壁面などに取り付けられるカレンダーに関し、特に壁面に取り付けたカレンダーが風などの外圧を受けても、カレンダーの上端部が揺動せず安定した状態で壁面に取り付ることが可能なカレンダーに関する。
【背景技術】
【０００２】
実用新案登録第３０８４８２６号公報（以下、「従来技術１」という。）には、図３に示されるように、複数枚のシート２を有するカレンダー１が、その上端部がシート綴じ部材３により綴じられているか（１枚のシートの場合でも同様のものがあった）、複数枚のシートの上端部が台紙上に綴じられ、日月の経過に従って日毎に或は月毎に若しくは複数月毎に１シートづつ切取れる或は取り外せるようになっていた。これらの綴じ部材３の中央部或は台紙の上端部の中央部には孔又は留め具からなる係止部４が設けてあり、その係止部４に画鋲などの針状突起を挿入して壁面などに取付けるか、壁面などに取り付けられた釘やフックなどにその係止部４を係止して壁面などに単に吊り下げるカレンダー１が開示されている。
【０００３】
また、実用新案登録第３１４２０６９号公報（以下、「従来技術２」という。）には、カレンダーを安定して壁面などに取り付けるために、カレンダーと別にカレンダー保持具を壁面に取り付け、カレンダーをカレンダー保持具に保持するカレンダーが開示されている。
【先行技術文献】
【特許文献】
【０００４】
【特許文献１】実用新案登録第３０８４８２６号公報
【特許文献２】実用新案登録第３１４２０６９号公報
【考案の概要】
【考案が解決しようとする課題】
【０００５】
しかしながら、従来技術１の壁面などに吊り下げられたカレンダー１は、上端部中央の係止部４が画鋲や釘或はフックなどの取付け部材により単に係止されているだけで、風などの外圧を受けると、カレンダー全体が揺動し、傾斜したまま見苦しい状態で吊り下げられていることがあった。
【０００６】
また、従来技術２で開示されたカレンダーは、カレンダーとは別部材であるカレンダー保持具が必要であり、低価格が望まれるカレンダーとして消費者に好まれないという問題を有する。
【０００７】
本考案は、上記従来技術の持つ問題を解決するものであって、構造が簡単で、低価格で製造ができ、風などの外圧を受けても上端部が揺動せず安定した状態で壁面に取り付けることが可能なカレンダーを提供することを目的とする。
【課題を解決するための手段】
【０００８】
本考案のカレンダーは、前記課題を解決するために、カレンダーを壁面に取り付けるため、カレンダーの上端部に取り付けられた綴じ部材に、カレンダーの幅方向の中心からの距離が同じ左右の位置に壁面へ係止するための係止部を設けることを特徴とする。
【０００９】
また、本考案のカレンダーは、係止部を綴じ部材に形成した貫通孔とすることを特徴とする。
【００１０】
また、本考案のカレンダーは、係止部を綴じ部材の上端から上に突出したフック又は穴開きリングとすることを特徴とする。
【考案の効果】
【００１１】
カレンダーを壁面に取り付けるため、カレンダーの上端部に取り付けられた綴じ部材に、カレンダーの幅方向の中心からの距離が同じ左右の位置に壁面への固定のための係止部を設けることで、低価格で製造が可能で、風などの外圧を受けてもカレンダーの上端部が揺動せず安定した状態で壁面に取付ることが可能となる。
係止部を綴じ部材に形成した貫通孔とすることで、安定して壁面に取り付けることが可能で、低価格で製造することが可能となる。
係止部を綴じ部材の上端から上に突出したフック又は穴開きリングとすることで、安定して壁面に取り付けることが可能で、低価格で製造することが可能となる。
【図面の簡単な説明】
【００１２】
【図１】本考案の実施形態を示す図である。
【図２】本考案の実施形態を示す図である。
【図３】従来技術を示す図である。
【考案を実施するための形態】
【００１３】
本考案のカレンダーの実施形態を図により説明する。図１は、本考案のカレンダー１の一実施形態を示す図である。
【００１４】
カレンダー１は、月日、曜日が印刷されたシート２の上端部に、シート２の幅と同じ幅でシート２より剛性の高い材料で形成された綴じ部材３が取り付けられている。綴じ部材３の幅方向の中心線Ａ−Ａから同じ距離Ｌの左右の位置に係止部４である貫通孔が形成される。
【００１５】
カレンダー１を壁面に係止するには、綴じ部材３に形成した係止部４である貫通孔を通して画鋲などの針状突起を挿入して壁面などに取付けるか、壁面などに取り付けられた釘やフックなどにその係止部４を係止する。カレンダー１の上端部が幅方向中心線Ａ−Ａから左右同じ距離Ｌに形成された係止部４で係止されるため、風などの外圧を受けてもカレンダー１の上端部が揺動せず安定した状態で壁面に取付ることが可能となる。係止部４を綴じ部材３に形成した貫通孔とするだけなので、低価格で製造が可能となる。
【００１６】
図２は、本考案のカレンダー１の他の実施形態を示す図である。
【００１７】
カレンダー１は、月日、曜日が印刷されたシート２の上端部に、シート２の幅と同じ幅でシート２より剛性の高い材料で形成された綴じ部材３が取り付けられている。綴じ部材３の上端から上に突出するように係止部４であるフック又は穴開きリングを取り付ける。係止部４であるフック又は穴開きリングは、綴じ部材４と一体に形成するか、綴じ部材４に接着剤等の手段により固定する。
【００１８】
係止部４であるフック又は穴開きリングの取付位置は、綴じ部材４の幅方向の中心線Ａ−Ａから同じ距離Ｌの左右の位置とする。
【００１９】
カレンダー１を壁面に係止するには、綴じ部材３の上端に取り付けた係止部４であるフック又は穴開きリングを通して画鋲などの針状突起を挿入して壁面などに取付けるか、壁面などに取り付けられた釘やフックなどにその係止部４を係止する。シート２の幅方向中心線Ａ−Ａから左右同じ距離Ｌに形成された係止部４で係止されるため、風などの外圧を受けてもカレンダー１の上端部が揺動せず安定した状態で壁面に取付ることが可能となる。係止部４を、綴じ部材４と一体に形成するか、綴じ部材４に接着剤等の手段により固定するフック又は穴開きリングとするだけなので、低価格で製造が可能となる。
【符号の説明】
【００２０】
１：カレンダー、２：シート、３：綴じ部材、４：係止部
【図１】
0003175892.tif 000003
【図２】
0003175892.tif 000004
【図３】
0003175892.tif 000005